(57)【要約】【課題】ピットからの浸出水の漏洩、遮水部材の損傷の有無を直接監視できる廃棄物最終処分場の構造の提供を課題とする。【解決手段】廃棄物１０を蓄積するピット１１と、このピット１１内の浸出水が外部に漏洩するのを防止すべく、少なくともピット１１の底部に二重に設けられた第１遮水部材１２及び第２遮水部材１３とを備えている。上記第１遮水部材１２と第２遮水部材１３との間に、ピット１１内の浸出水の漏洩、又は第１及び第２遮水部材１２，１３の損傷の有無を目視によって監視するべく、監視用スペース１４が設けられている。【選択図】図１
2007105598.tif 000002
【特許請求の範囲】
【請求項１】
廃棄物を蓄積するピットと、
前記ピット内の浸出水が外部に漏洩するのを防止すべく、少なくとも前記ピットの底部に二重に設けられた第１遮水部材及び第２遮水部材とを備え、
前記第１遮水部材と前記第２遮水部材との間に、前記ピット内の浸出水の漏洩、前記第１及び第２の遮水部材の損傷の有無を目視によって監視するべく、監視用スペースが設けられていることを特徴とする廃棄物最終処分場の構造。
【請求項２】
前記ピットの側部に、前記第１遮水部材、前記第２遮水部材及び前記監視用スペースが設けられていることを特徴とする請求項１に記載の廃棄物最終処分場の構造。
【請求項３】
前記監視用スペースは、監視員が通行可能な広さを有することを特徴とする請求項１または２に記載の廃棄物最終処分場の構造。
【請求項４】
前記第１遮水部材又は前記第２遮水部材は、鋼板、遮水性コンクリート、遮水シート、アスファルトコンクリート、粘性土等の土質系材料等、通常最終処分場の遮水材として使用されている材料、又はこれらの組み合わせによって形成されていることを特徴とする請求項１から３の何れかに記載の廃棄物最終処分場の構造。
【請求項５】
前記ピットの上部側から前記監視用スペース内に続く昇降手段が設けられていることを特徴とする請求項１から４の何れかに記載の廃棄物最終処分場の構造。
【請求項６】
前記ピットの外側に、前記監視用スペース内へ入るための入り口が設けられていることを特徴とする請求項１から５の何れかに記載の廃棄物最終処分場の構造。
【発明の詳細な説明】
【技術分野】
【０００１】
本発明は、廃棄物最終処分場の構造に関する。
【背景技術】
【０００２】
この最終処分場は、廃棄物が埋め立てられた埋め立て地内の浸出水などが漏洩するのを防止し、地下水や公共水域の汚染を防ぐべく、遮水構造が義務付けられている。
【０００３】
従来は、万一、上記遮水構造が何らかの理由により損傷した場合でも、埋め立て地内の浸出水の漏洩を最小限にとどめるため、適宜電気的漏洩検知技術や、物理的検知技術などによって遮水構造における損傷の有無の監視や損傷位置の特定が行われている。また、水質調査法や水収支法による浸出水の漏洩の有無を監視することも行われている。
【０００４】
また、浸出水の漏洩が起こった場合に、高吸水樹脂やベントナイトなどが浸出水を吸水膨潤し、損傷箇所をシールする自己修復シートを採用するという対応がなされている。
【発明の開示】
【発明が解決しようとする課題】
【０００５】
しかしながら、従来の最終処分場における遮水構造の損傷の有無を監視し、或いは損傷位置を特定する技術は、いずれも浸出水の漏洩を間接的に監視するものであり、直接的に、漏洩が起こっていないことを確認することができなかった。
【０００６】
また、遮水構造の損傷が検出された場合、遮水構造を修復するために、最終処分場におけるピット内の廃棄物を掘削する等の困難な作業が発生し、作業に日数がかかるという問題があった。
【０００７】
更に、上記のように遮水構造を修復するためには、一定の工事期間が必要になるので、その間にピット内の浸出水の外部への漏洩が進行するおそれがあった。
【０００８】
本発明は、このような問題に鑑みなされたもので、遮水構造の損傷の有無や、浸出水の漏洩の有無を直接監視できる廃棄物最終処分場の構造の提供を課題とする。
【課題を解決するための手段】
【０００９】
本発明は、前記課題を解決するため、以下の手段を採用した。
（１）本発明は、
廃棄物を蓄積するピットと、
前記ピット内の浸出水が外部に漏洩するのを防止すべく、少なくとも前記ピットの底部に二重に設けられた第１遮水部材及び第２遮水部材とを備え、
前記第１遮水部材と前記第２遮水部材との間に、前記ピット内の浸出水の漏洩、又は前記第１及び第２の遮水部材の損傷の有無を監視する監視スペースが設けられていることを特徴とする。
【００１０】
本発明では、監視用スペースから、ピット内の浸出水の漏洩、第１及び第２遮水部材の損傷の有無を直接、目視により監視できる。
【００１１】
（２）前記ピットの側部に、前記第１、第２遮水部材及び前記監視用スペースが設けられていることが好ましい。
【００１２】
この場合は、ピットの側部におけるピット内の浸出水の漏洩、第１遮水部材又は第２遮水部材の損傷の有無を直接、目視により監視できる。
【００１３】
（３）前記監視用スペースは、監視員が通行可能な広さを有するのが好ましい。この場合は、監視員が監視用スペース内に入って、ピット内の浸出水の漏洩、第１又は第２遮水部材の損傷の有無を直接、目視により監視できる。
【００１４】
（４）前記第１遮水部材又は前記第２遮水部材は、鋼板、遮水性コンクリート、遮水シート、アスファルトコンクリート、粘性土等の土質系材料等、通常最終処分場の遮水材として使用されている材料、又はこれらの組み合わせによって形成できる。
【００１５】
（５）前記ピットの上部側から前記監視用スペース内に続く昇降手段が設けられているのが好ましい。
【００１６】
（６）前記ピットの外側に、前記監視用スペース内へ入るための入り口が設けられているのが好ましい。
【発明の効果】
【００１７】
以上説明したように、本発明によれば、最終処分場におけるピット内の浸出水の漏洩、第１遮水部材及び第２遮水部材の損傷の有無を直接、目視により監視できるので、信頼性が向上する。
【００１８】
また、第１遮水部材又は第２遮水部材が損傷している場合には、監視用ピット内から第１遮水部材又は第２遮水部材を修復できるので、ピット内の廃棄物を掘削する必要がない。従って、作業工数を大幅に低減でき、第１遮水部材及び第２遮水部材の修復作業も視認しながらの作業となるため、円滑に確実な処理ができ、第１遮水部材及び第２遮水部材の不具合に対する処置までの間、漏洩した浸出水に対して容易に適切な処理などを行うことができ、処置後の信頼性についても十分な検証を実施することができる。したがって、浸出水が埋立地外へ漏洩するのを確実に防止できる。
【発明を実施するための最良の形態】
【００１９】
以下、本発明の実施の形態について図面を参照して詳細に説明する。
図１は、本発明に係る廃棄物最終処分場の構造を適用した実施例として、廃棄物最終処分場１を示す。この廃棄物最終処分場１は、クローズド型と呼ばれる覆蓋施設（屋根）のある最終処分場である。
【００２０】
この廃棄物最終処分場１は、廃棄物１０を蓄積するピット１１と、少なくとも上記ピット１１の底部に二重に設けられた第１遮水部材１２及び第２遮水部材１３とを備えている。
【００２１】
また、本発明の廃棄物最終処分場１は、上記第１遮水部材１２と上記第２遮水部材１３との間に、上記ピット１１内の廃棄物１０に含まれる浸出水の漏洩、又は上記第１遮水部材１２及び第２遮水部材１３の損傷の有無を監視する監視用スペース１４が設けられている。
【００２２】
次に、上記各構成要素について説明する。上記ピット１１の上部側には屋根１８が設けられている。
【００２３】
また、ピット１１の両側には、土留め壁１９，２０が設けられている。これらの土留め壁１９，２０は、親杭鋼矢板、連続地中壁、鋼矢板、鋼管矢板、鉄筋コンクリート構造な
どによって形成できる。
【００２４】
また、上記ピット１１は、自然又は人工の法面若しくは補強土などの土構造によっても形成できる。
【００２５】
一方の土留め壁１９の内側には、ピット１１の上部側から監視用スペース１４内に続く昇降階段１５が設けられている。
【００２６】
上記第１遮水部材１２及び第２遮水部材１３は、図２に示すように、鋼板（厚さ６ｍｍ以上）によって形成されている。
【００２７】
第１遮水部材１２は、ピット１１内の浸出水の流出を防ぐ構造である。この第１遮水部材１２の内側に廃棄物１０が蓄積される。
【００２８】
なお、第１遮水部材１２は、鋼板以外に、通常の最終処分場で遮水部材として使用される材料、例えば遮水性コンクリート、遮水シート、アスファルトコンクリート、土質系材料（粘性土等）等、又はこれらの組み合わせによって形成することができる。また、第１遮水部材１２を鋼板、遮水性コンクリートで形成する場合は、監視用スペース１４を確保するための構造体を兼ねることができる。
【００２９】
更に、第１遮水部材１２に、アスファルトコンクリート、遮水シート、土質系材料（粘性土等）などを使用する場合は、別途、鋼構造やコンクリート構造によって、第１遮水部材１２を支持することが必要である。
【００３０】
上記第２遮水部材１３は、鋼板以外に、通常の最終処分場で遮水部材として使用される材料、例えば遮水性コンクリート、遮水シート、アスファルトコンクリート、土質系材料（粘性土等）など、又はこれらの組み合わせによって形成できる。
【００３１】
上記監視用スペース１４は、第１遮水部材１２と第２遮水部材１３との間に、監視員が入り、第１遮水部材１２及び第２遮水部材１３の状態を直接目視によって監視できる空間として設けられている。
【００３２】
この監視用スペース１４は、この中に監視員２２が入り、ピット１１内の浸出水の漏洩、第１遮水部材１２及び第２遮水部材１３の損傷の有無などを、直接目視によって監視できる。
【００３３】
また、第１遮水部材１２からの浸出水の漏洩、或いは第１遮水部材１２又は第２遮水部材１３の損傷が発見された場合は、監視用スペース１４内から適切な処置を行い、浸出水の漏洩を防止するための修復や、第１及び第２遮水部材１２，１３の損傷を修復できる。
【００３４】
また、ピット１１内の浸出水が漏洩したとしても、損傷の修復にかかる期間中、この浸出水を第１遮水部材１２と第２遮水部材１３との間で、容易に適切な処理を行うことができ、廃棄物最終処分場１の外側に漏洩するのを確実に防止できる。
【００３５】
更に、第１及び第２遮水部材１２，１３の修復作業は、作業者が第１及び第２遮水部材１２，１３を視認しながらできるため、円滑に且つ確実に修復作業行うことができると共に、修復箇所についても十分な検証が実施でき、信頼性も向上する。
【００３６】
また、上記監視用スペース１４は、監視用としての機能を損なわない限度で、必要に応じて市民参加のための諸施設などを構築することも可能で、近隣の住民が望めば自ら遮水
部材の健全性を確認できるような安全安心な施設としても活用できる。
【００３７】
また、上記階段１５に代えてエレベータなどを用いることもできる。更に、ピット１１の外側に監視用スペース１４内への入口を設けることもできる。
【００３８】
このように、本発明の廃棄物最終処分場１は、第１遮水部材１２と第２遮水部材１３との間に監視用スペース１４を設けたので、この中に監視員２２が入り、ピット１１内の浸出水の漏洩、第１遮水部材１２及び第３遮水部材１３の損傷の有無を直接目視によって監視できる。従って、廃棄物最終処分場１に対する信頼性が向上する。
【００３９】
また、ピット１１からの浸出水の漏洩、第１遮水部材１２又は第２遮水部材１３の損傷が確認された場合には、監視用スペース１４内から、その補修作業を容易にできる。
【００４０】
なお、本実施形態では、本発明をクローズド型と呼ばれる覆蓋施設（屋根）のある廃棄物最終処分場１に適用した場合について説明したが、本発明は覆蓋のないオープン型と呼ばれる最終処分場や海面埋立の最終処分場、既設の最終処分場をリニューアルする場合、その他の廃棄物最終処分場などに適用できる。
【００４１】
また、本実施形態では、ピット１１の底部にのみ第１遮水部材１２，第２遮水部材１３及び監視用スペース１４を設けたが、ピット１１の側面部にも、監視用スペースを設けることができる。この他、具体的な細部構造などについても適宜に変更可能であることは勿論である。
【図面の簡単な説明】
【００４２】
【図１】本発明に係る廃棄物最終処分場の構造を適用した廃棄物最終処分場を示す断面図である。
【図２】本発明に係る第１遮水部材及び第２遮水部材を示す断面図である。
【符号の説明】
【００４３】
１  廃棄物最終処分場
１０  廃棄物
１１  ピット
１２  第１遮水部材
１３  第２遮水部材
１４  監視用スペース
１５  階段
１８  屋根
１９  土留め壁
２０  土留め壁
２２  監視員
【図１】
2007105598.tif 000003
【図２】
2007105598.tif 000004